(57)【要約】【課題】通話信号処理のための回路部品点数を増加することなく多種類の通話端末を接続可能とする。【解決手段】通話信号経路切替部３２は、マイクロホン１０及びスピーカ１１と子器切替部１２をつなぐ第１の通話信号経路と、マイクロホン１０及びスピーカ１１と通話端末接続インタフェース部２１をつなぐ第２の通話信号経路と、子器切替部１２と通話端末接続インタフェース部２１をつなぐ第３の通話信号経路とを択一的に切り替える。これにより通話信号を処理する通話信号処理部３３を共用するとともに、通話信号経路切替部３２並びに通話信号処理部３３をＤＳＰ３０で実現しているため、回路構成の複雑化や部品点数の増加、あるいは通話信号経路の切り替えに伴うノイズの混入などを防ぎつつ多種類の通話端末が接続可能となる。【選択図】        図１
2005217543.tif 000002
【特許請求の範囲】
【請求項１】
住宅内に設置され、住宅外に設置されるインターホン子器並びに住宅内で使用される通話端末との間に適宜形成する通話路を通して通話するインターホン親機であって、通話信号と音声の相互変換を行う通話手段と、信号線によりインターホン子器を接続し該信号線を通してインターホン子器との間で通話信号を授受する子器接続手段と、信号線により通話端末を接続し該信号線を通して通話端末との間で通話信号を授受する通話端末接続手段と、通話手段と子器接続手段をつなぐ第１の通話信号経路、通話手段と通話端末接続手段をつなぐ第２の通話信号経路、子器接続手段と通話端末接続手段をつなぐ第３の通話信号経路を択一的に切り替える通話信号経路切替手段と、通話信号経路切替手段で切り替えられた何れかの通話信号経路を通る通話信号を信号処理して双方向の通話を行う通話信号処理手段とを備え、通話信号経路切替手段並びに通話信号処理手段は、ソフトウェアによって動作する汎用の集積回路からなることを特徴とするインターホン親機。
【請求項２】
信号線により接続された複数種のインターホン子器のうちから何れかのインターホン子器を選択する子器選択手段と、選択された一のインターホン子器との間に通話路を形成する通話路形成手段と、子器選択手段で選択されたインターホン子器の種類を判別する子器種類判別手段と、子器種類判別手段の判別結果に基づき当該インターホン子器の種類に応じて通話信号のレベル調整を行うレベル調整手段とを備えたことを特徴とする請求項１記載のインターホン親機。
【請求項３】
子器選択手段は各インターホン子器から送信される呼出信号を受信するとともに呼出信号を送信したインターホン子器を選択し、子器種類判別手段は、呼出信号に含まれるインターホン子器の個別情報に基づいて種類を判別することを特徴とする請求項２記載のインターホン親機。
【請求項４】
通話信号処理手段は、一対の通話信号経路の片側に損失を挿入することで通話方向を切り替える音声スイッチと、通話信号経路における音声スイッチの両側に設けられて通話信号に含まれるエコー成分を除去するエコーキャンセラと、通話信号を増幅する増幅手段とを有し、通話信号経路切替手段で切り替えられた第１又は第２又は第３の通話信号経路に応じて音声スイッチ、エコーキャンセラ並びに増幅手段の動作特性を変更することを特徴とする請求項１記載のインターホン親機。
【請求項５】
通話信号処理手段は、通話端末接続手段に接続される通話端末が通話方向を切り替える音声スイッチ機能並びに通話信号に含まれるエコー成分を除去するエコーキャンセラ機能を有するものであって、通話信号経路切替手段により第２又は第３の通話信号経路に切り替えられている場合には音声スイッチ並びにエコーキャンセラを動作させないことを特徴とする請求項４記載のインターホン親機。
【請求項６】
請求項１〜請求項５の何れか記載のインターホン親機と、住宅外に設置されて信号線によりインターホン親機と接続される１乃至複数のインターホン子器と、住宅内に設置されて信号線によりインターホン親機と接続される１乃至複数のインターホン副親機と、住宅内で使用される１乃至複数の通話端末とで構成され、インターホン親機、インターホン子器、インターホン副親機並びに通話端末の間で個別に通話するインターホンシステムにおいて、インターホン親機は、インターホン子器との間の通話路とインターホン副親機との間の通話路を択一的に切り替えて子器接続手段に接続する通話路切替手段を備え、インターホン副親機は、通話信号と音声の相互変換を行う通話手段と、信号線によりインターホン親機と接続し該信号線を通してインターホン親機との間で通話信号を授受する親機接続手段と、通話手段と親機接続手段をつなぐ通話信号経路を通る通話信号を信号処理して双方向の通話を行う通話信号処理手段とを備え、インターホン副親機の通話信号処理手段は、ソフトウェアによって動作する汎用の集積回路からなり、一対の通話信号経路の片側に損失を挿入することで通話方向を切り替える音声スイッチと、通話信号経路における音声スイッチの両側に設けられて通話信号に含まれるエコー成分を除去するエコーキャンセラと、通話信号を増幅する増幅手段とを有することを特徴とするインターホンシステム。
【発明の詳細な説明】
【技術分野】
【０００１】
本発明は、住宅内に設置されて住宅外のインターホン子器と通話するインターホン親機、並びにインターホン親機やインターホン子器等で構成されるインターホンシステムに関するものである。
【背景技術】
【０００２】
従来、住宅外（玄関など）に設置されるインターホン子器と、住宅内に設置されインターホン子器からの呼出に応答した際にインターホン子器との間に通話路を形成して通話するインターホン親機又は副親機とで構成され、インターホン親機に接続された電話機などの通話端末でもインターホン子器やインターホン親機又は副親機との通話を可能としたインターホンシステムが提供されている（例えば、特許文献１参照）。
【０００３】
この種のインターホン親機並びにインターホンシステムの従来構成を図９に示す。インターホン子器（以下、子器と略す）Ｃは２線の信号線Ｌ１でインターホン親機（以下、親機と略す）Ａ’と接続され、マイクロホン１及びスピーカ２と、マイクロホン１で集音された通話信号（送話信号）を増幅するマイクロホンアンプ３と、スピーカ２へ入力する通話信号（受話信号）を増幅するスピーカアンプ４と、２線−４線変換を行う２線−４線変換部５と、手動操作される呼出釦（図示せず）を有し呼出釦が操作された際に操作信号を出力する呼出スイッチ部６と、子器全体の動作制御を行うとともに呼出スイッチ部６から操作信号が入力されたときに制御信号送信部８から親機Ａに対して制御信号（呼出信号）を送信させる信号処理部７と、信号線Ｌ１を介して呼出信号を送信する制御信号送信部８とを具備する。
【０００４】
一方、親機Ａ’は、マイクロホン１０及びスピーカ１１と、複数の子器Ｃとの間の通話路を切り替える子器切替部１２と、子器切替部１２とインターホン副親機（以下、副親機と略す）Ｂ’との間の通話路を切り替える通話路切替部１３と、子器Ｃから送信される制御信号を受信する制御信号受信部１４と、ＣＰＵを主構成要素とする制御部１５と、通話路切替部１３の後段に設けられた第１の２線−４線変換部１６と、手動操作される操作釦（図示せず）を有して操作釦が操作された際に制御部１５に操作信号を出力する複数の操作スイッチ１７ａ，１７ｂ，１７ｃと、制御部１５の制御の元で２線の信号線Ｌ２を介して副親機Ｂ’との間で制御信号を送受信する第１の制御信号送受信部１８と、マイクロホン１０から第１の２線−４線変換部１６に至る通話信号経路（以下、送話信号経路と呼ぶ）、並びに第１の２線−４線変換部１６からスピーカ１１に至る通話信号経路（以下、受話信号経路と呼ぶ）の間に設けられ、送話信号と受話信号のレベルを比較しレベルが低い方の信号経路に損失を挿入することで通話のモード（送話モード及び受話モード）を切り替える音声スイッチ１９と、上記一対の通話信号経路（送話信号経路並びに受話信号経路）から音声スイッチ１９を介さずに分岐した通話信号経路に設けられた第２の２線−４線変換部２０と、電話機などの通話端末（図示せず）を第２の２線−４線変換部２０に接続する通話端末接続インタフェース部２１と、制御部１５の制御の元で通話端末接続インタフェース部２１を介して通話端末との間で制御信号を送受信する第２の制御信号送受信部２２とを具備する。尚、副親機Ｂ’は子器切替部１２や通話路切替部１３を具備しない点以外は親機Ａ’とほぼ共通の構成を有しているので図示及び説明を省略する。
【０００５】
上述のように構成される従来システムの動作を簡単に説明する。
【０００６】
例えば、来訪者が子器Ｃの呼出釦を操作すると、子器Ｃの信号処理部７が制御信号送信部８を制御して呼出信号を親機Ａ’に送信させる。親機Ａ’では制御信号受信部１４が子器Ｃから送信された呼出信号を受信し、制御部１５に対して子器Ｃから呼出があったことを示す情報（呼出情報）を出力する。制御部１５では呼出情報に基づいて子器Ｃからの呼出を検出し、第１及び第２の制御信号送受信部１８，２０から各々制御信号を送信して上記呼出情報を副親機Ｂ’並びに通話端末に伝達し、さらに、図示しない呼出音発生手段によりスピーカ１１から呼出音を鳴動させるとともに、子器Ｃとの通話に備えて受話信号経路に設けたアッテネータ２３の減衰量や送話信号経路に設けたアンプ２４の利得を子器Ｃに適した値に設定する。
【０００７】
そして、呼出音を聞いた家人が親機Ａ’の通話釦を押操作し操作スイッチ（図示せず）がオンして操作信号が制御部１５に入力されると、制御部１５は子器切替部１２並びに通話路切替部１３を切替制御して子器Ｃとの間に通話路を形成するとともに音声スイッチ１９、アッテネータ２３、アンプ２４などを起動することによって通話信号処理が開始され、信号線Ｌ１を通して親機Ａ’と子器Ｃとの間で双方向の通話が可能となる。このとき、アッテネータ２３の減衰量やアンプ２４の利得が子器Ｃに適した値に設定されているため、子器Ｃからの受話信号並びに子器Ｃへの送話信号が適切なレベルに調整され、音声スイッチ１９の動作精度が向上するとともにスピーカ１１から鳴動する通話音声を適切な音量に調整することができる。
【０００８】
また、副親機Ｂ’においても親機Ａ’と同様の処理が行われており、副親機Ｂ’において通話釦が押操作された場合には副親機Ｂ’と子器Ｃとの間で通話路が形成され、このときにもアッテネータの減衰量やアンプの利得が子器Ｃに適した値に設定されているために子器Ｃからの受話信号並びに子器Ｃへの送話信号が適切なレベルに調整されることになる。尚、呼出音を聞いた家人が通話端末で応答した場合、例えば、通話端末が電話機であればハンドセット（受話器）を取ってオフフックした場合、親機Ａ’を介して通話端末（電話機）と子器Ｃとの間で双方向の通話が可能となる。ここで、親機Ａ’における第１の２線−４線変換部１６と第２の２線−４線変換部２０の間の通話信号経路にはそれぞれアッテネータ２５，２６が設けられており、通話端末の応答（オフフック）を第２の制御信号送受信部２２で検出したときに制御部１５がアッテネータ２５，２６の減衰量をそれぞれ通話端末と子器Ｃに適した値に設定している。
【特許文献１】特開平６−２３７３０６号公報
【発明の開示】
【発明が解決しようとする課題】
【０００９】
ところで、親機Ａ’に接続可能な通話端末には、一般の電話機だけでなく、信号線によって親機Ａ’と接続されて通話信号をワイヤレス信号に変換する装置本体と、装置本体との間でワイヤレス信号の送受信を行うことにより装置本体を介して親機Ａ’や子器Ｃなどと通話するワイヤレス通信機からなるワイヤレス通信装置などもあり、今後、その種類も増える可能性がある。
【００１０】
しかしながら、通話端末はその種類毎に通話信号の特性などが異なっているから、親機Ａ’において双方向通話を実現するために必要な通話信号処理（音声スイッチ１９による通話モードの切替処理や通話信号の減衰・増幅処理など）の設定値（減衰量や利得など）も通話端末の種類に応じて変更する必要がある。したがって、上記従来例においては接続可能な通話端末の種類が増えるにつれて通話信号処理のための回路部品（アッテネータやアンプなど）の部品点数が増加して親機Ａ’の大型化やコストアップを招いてしまうことになる。尚、半導体リレー等を用いて通話端末の種類毎に通話信号経路を切り替えて上記回路部品を共通化することも考えられるが、かえって回路構成が複雑化したり通話信号へのノイズ混入や劣化などのデメリットが生じる虞がある。
【００１１】
本発明は上記事情に鑑みて為されたものであり、その目的は、通話信号処理のための回路部品点数を増加することなく多種類の通話端末が接続可能なインターホン親機並びにインターホンシステムを提供することにある。
【課題を解決するための手段】
【００１２】
請求項１の発明は、上記目的を達成するために、住宅内に設置され、住宅外に設置されるインターホン子器並びに住宅内で使用される通話端末との間に適宜形成する通話路を通して通話するインターホン親機であって、通話信号と音声の相互変換を行う通話手段と、信号線によりインターホン子器を接続し該信号線を通してインターホン子器との間で通話信号を授受する子器接続手段と、信号線により通話端末を接続し該信号線を通して通話端末との間で通話信号を授受する通話端末接続手段と、通話手段と子器接続手段をつなぐ第１の通話信号経路、通話手段と通話端末接続手段をつなぐ第２の通話信号経路、子器接続手段と通話端末接続手段をつなぐ第３の通話信号経路を択一的に切り替える通話信号経路切替手段と、通話信号経路切替手段で切り替えられた何れかの通話信号経路を通る通話信号を信号処理して双方向の通話を行う通話信号処理手段とを備え、通話信号経路切替手段並びに通話信号処理手段は、ソフトウェアによって動作する汎用の集積回路からなることを特徴とする。
【００１３】
この発明によれば、通話信号経路切替手段で通話信号経路を択一的に切り替えることにより通話信号を処理する通話信号処理手段を共用するとともに、通話信号経路切替手段並びに通話信号処理手段をソフトウェアによって動作する汎用の集積回路で実現しているため、回路構成の複雑化や部品点数の増加、あるいは通話信号経路の切り替えに伴うノイズの混入などを防ぎつつ多種類の通話端末が接続可能なインターホン親機が提供できる。
【００１４】
請求項２の発明は、請求項１の発明において、信号線により接続された複数種のインターホン子器のうちから何れかのインターホン子器を選択する子器選択手段と、選択された一のインターホン子器との間に通話路を形成する通話路形成手段と、子器選択手段で選択されたインターホン子器の種類を判別する子器種類判別手段と、子器種類判別手段の判別結果に基づき当該インターホン子器の種類に応じて通話信号のレベル調整を行うレベル調整手段とを備えたことを特徴とする。
【００１５】
この発明によれば、子器種類判別手段の判別結果に基づいてレベル調整手段がインターホン子器の種類に応じて通話信号のレベル調整を行うから、複数種類のインターホン子器と組み合わせる場合においても通話信号のレベルに差異が生じ難くなる。
【００１６】
請求項３の発明は、請求項２の発明において、子器選択手段は各インターホン子器から送信される呼出信号を受信するとともに呼出信号を送信したインターホン子器を選択し、子器種類判別手段は、呼出信号に含まれるインターホン子器の個別情報に基づいて種類を判別することを特徴とする。
【００１７】
この発明によれば、呼出信号を送信したインターホン子器の種類に適したレベルに通話信号を調整することができる。
【００１８】
請求項４の発明は、請求項１の発明において、通話信号処理手段は、一対の通話信号経路の片側に損失を挿入することで通話方向を切り替える音声スイッチと、通話信号経路における音声スイッチの両側に設けられて通話信号に含まれるエコー成分を除去するエコーキャンセラと、通話信号を増幅する増幅手段とを有し、通話信号経路切替手段で切り替えられた第１又は第２又は第３の通話信号経路に応じて音声スイッチ、エコーキャンセラ並びに増幅手段の動作特性を変更することを特徴とする。
【００１９】
この発明によれば、音声スイッチ、エコーキャンセラ並びに増幅手段による通話信号処理によって通話品質の向上が図れるとともに、これらの動作特性を択一的に切り替えられる通話信号経路に応じて変更し、個々の通話信号経路に最適な動作特性で動作させることにより通話品質がさらに向上できる。
【００２０】
請求項５の発明は、請求項４の発明において、通話信号処理手段は、通話端末接続手段に接続される通話端末が通話方向を切り替える音声スイッチ機能並びに通話信号に含まれるエコー成分を除去するエコーキャンセラ機能を有するものであって、通話信号経路切替手段により第２又は第３の通話信号経路に切り替えられている場合には音声スイッチ並びにエコーキャンセラを動作させないことを特徴とする。
【００２１】
この発明によれば、通話信号処理手段の音声スイッチやエコーキャンセラが通話端末における音声スイッチ機能やエコーキャンセラ機能と重複して動作することをなくし、通話信号の劣化等による通話品質の低下が防止できる。
【００２２】
請求項６の発明は、上記目的を達成するために、請求項１〜請求項５の何れか記載のインターホン親機と、住宅外に設置されて信号線によりインターホン親機と接続される１乃至複数のインターホン子器と、住宅内に設置されて信号線によりインターホン親機と接続される１乃至複数のインターホン副親機と、住宅内で使用される１乃至複数の通話端末とで構成され、インターホン親機、インターホン子器、インターホン副親機並びに通話端末の間で個別に通話するインターホンシステムにおいて、インターホン親機は、インターホン子器との間の通話路とインターホン副親機との間の通話路を択一的に切り替えて子器接続手段に接続する通話路切替手段を備え、インターホン副親機は、通話信号と音声の相互変換を行う通話手段と、信号線によりインターホン親機と接続し該信号線を通してインターホン親機との間で通話信号を授受する親機接続手段と、通話手段と親機接続手段をつなぐ通話信号経路を通る通話信号を信号処理して双方向の通話を行う通話信号処理手段とを備え、インターホン副親機の通話信号処理手段は、ソフトウェアによって動作する汎用の集積回路からなり、一対の通話信号経路の片側に損失を挿入することで通話方向を切り替える音声スイッチと、通話信号経路における音声スイッチの両側に設けられて通話信号に含まれるエコー成分を除去するエコーキャンセラと、通話信号を増幅する増幅手段とを有することを特徴とする。
【００２３】
この発明によれば、インターホン親機の通話信号経路切替手段で通話信号経路を択一的に切り替えることにより通話信号を処理する通話信号処理手段を共用するとともに、通話信号経路切替手段並びに通話信号処理手段をソフトウェアによって動作する汎用の集積回路で実現しているため、回路構成の複雑化や部品点数の増加、あるいは通話信号経路の切り替えに伴うノイズの混入などを防ぎつつ多種類の通話端末がインターホン親機に接続できるインターホンシステムが提供できる。また、インターホン副親機がインターホン親機と同様にソフトウェアによって動作する汎用の集積回路からなる通話信号処理手段を備えているから、インターホン親機の通話信号処理手段を使用しなくても、インターホン副親機とインターホン子器との間でインターホン親機とインターホン子器との間の通話と同等の通話が可能になる。
【発明の効果】
【００２４】
本発明によれば、通話信号経路切替手段で通話信号経路を択一的に切り替えることにより通話信号を処理する通話信号処理手段を共用するとともに、通話信号経路切替手段並びに通話信号処理手段をソフトウェアによって動作する汎用の集積回路で実現しているため、回路構成の複雑化や部品点数の増加、あるいは通話信号経路の切り替えに伴うノイズの混入などを防ぎつつ多種類の通話端末が接続可能なインターホン親機並びにインターホンシステムが提供できるという効果がある。
【発明を実施するための最良の形態】
【００２５】
以下、本発明に係るインターホン親機並びにインターホンシステムの実施形態について図面を参照して説明する。但し、インターホン子器Ｃについては従来例と共通であり、また、インターホン親機Ａについても基本的な構成が従来例と共通であるから、共通の構成要素には同一の符号を付して適宜説明を省略する。
【００２６】
本実施形態のインターホン親機（以下、親機と略す）Ａは、ソフトウェアを搭載した汎用の集積回路であるＤＳＰ（デジタル・シグナル・プロセッサ）３０と、マイクロホン１０で集音したアナログの通話信号（送話信号）をデジタルの送話信号に変換するＡ／Ｄコンバータ２７ａ並びにＤＳＰ３０から出力されるデジタルの通話信号（受話信号）をアナログの受話信号に変換してスピーカ１１に出力するＤ／Ａコンバータ２７ｂを具備する第１のコーデック部２７と、子器Ｃ１，Ｃ２，…又は副親機Ｂから送られてくるアナログの通話信号（受話信号）をデジタルの受話信号に変換するＡ／Ｄコンバータ２８ａ並びにＤＳＰ３０から出力されるデジタルの通話信号（送話信号）をアナログの送話信号に変換するＤ／Ａコンバータ２８ｂを具備する第２のコーデック部２８と、通話端末接続インタフェース部２１を介して図示しない通話端末から送られてくるアナログの通話信号（受話信号）をデジタルの受話信号に変換するＡ／Ｄコンバータ２９ａ並びにＤＳＰ３０から出力されるデジタルの通話信号（送話信号）をアナログの送話信号に変換するＤ／Ａコンバータ２９ｂを具備する第３のコーデック部２９とを備えている。また、発光素子や液晶ディスプレイ等の表示デバイスを有して親機Ａの動作状態を表示する表示部３６も備えている。尚、本実施形態ではマイクロホン１０及びスピーカ１１が通話手段、子器切替部１２が子器接続手段、通話端末接続インタフェース部２１が通話端末接続手段となる。また、各子器Ｃ１，Ｃ２，…から送信される呼出信号を受信するとともに呼出信号を送信した子器Ｃ１，Ｃ２，…を選択する子器選択手段、選択された一の子器Ｃ１，Ｃ２，…との間に通話路を形成する通話路形成手段、選択された子器Ｃ１，Ｃ２，…の種類を判別する子器種類判別手段を、制御部１５のＣＰＵで専用のプログラム（ソフトウェア）を実行することにより実現している。
【００２７】
ＤＳＰ３０は、制御部１５との間のデータ伝送やプログラム格納部３４に格納された複数のソフトウェアを選択して実行するソフトウェア制御などの機能を実現するＤＳＰ制御部３１と、後述するように複数の通話信号経路を択一的に切り替える通話信号経路切替部３２と、通話信号を処理して双方向の通話を実現する通話信号処理部３３と、プログラム格納部３４と、後述するような種々の動作特性を設定するデータが格納されたデータ格納部３５とを具備する。但し、ＤＳＰ制御部３１、通話信号経路切替部３２並びに通話信号処理部３３は専用のソフトウェアをＤＳＰ３０で実行することによって実現されるものである。
【００２８】
通話信号処理部３３は双方向の拡声通話を実現するために音声スイッチ３３ａと第１及び第２のエコーキャンセラ３３ｂ，３３ｃとを具備している。音声スイッチ３３ａは従来周知であって、従来例のものと同様に送話信号と受話信号のレベルを比較しレベルが低い方の信号経路に損失を挿入することで通話のモード（送話モード及び受話モード）を切り替えるものである。また第１のエコーキャンセラ３３ｂは適応フィルタと減算器からなる従来周知の構成を有し、例えば、スピーカ１１−マイクロホン１０間の音響結合により形成される帰還経路（音響エコー経路）のインパルス応答を適応フィルタにより適応的に同定し、参照信号（第１のコーデック部２７のＤ／Ａコンバータ２７ｂへの出力信号）から推定したエコー成分（音響エコー）を減算器により第１のコーデック部２７のＡ／Ｄコンバータ２７ａからの入力信号から減算することでエコー成分を相殺して消去するものである。また第２のエコーキャンセラ３３ｃも適応フィルタと減算器からなる従来周知の構成を有し、例えば、第１の２線−４線変換部１６と信号線Ｌ１との間のインピーダンスの不整合による反射および子器Ｃ１，…におけるスピーカ−マイクロホン間の音響結合とにより形成される帰還経路（回線エコー経路）のインパルス応答を適応フィルタにより適応的に同定し、参照信号（第２のコーデック部２８のＤ／Ａコンバータ２８ｂへの出力信号、すなわち送話信号）から推定したエコー成分（回線エコー）を減算器により受話信号から減算することでエコー成分を相殺して消去するものである。尚、音声スイッチ３３ａと第１及び第２のエコーキャンセラ３３ｂ，３３ｃの間における各通話信号経路には各々アンプ３３ｅ〜３３ｈが設けてある。
【００２９】
子器切替部１２は、図２（ａ）に示すように複数の子器Ｃ１，Ｃ２，Ｃ３の信号線Ｌ１がそれぞれ接続された複数の切替接点１２ａ，１２ｂ，１２ｃと、通話路切替部１３を介して第１の２線−４線変換部１６に接続された共通接点１２ｄとを有し、制御部１５により何れかの切替接点１２ａ，１２ｂ，１２ｃと共通接点１２ｄが択一的に切り替えて閉成されるものである。また通話路切替部１３は、子器切替部１２と第１の２線−４線変換部１６をつなぐ通話信号経路中に互いに並列に挿入された２つのスイッチＳＷ２，ＳＷ３と、子器切替部１２と信号線Ｌ２をつなぐ通話信号経路中に直列に挿入された２つのスイッチＳＷ１，ＳＷ４とを有し、これら４つのスイッチＳＷ１〜ＳＷ４が制御部１５によりオン・オフされることで子器Ｃ１〜Ｃ３と親機Ａ、親機Ａと副親機Ｂ若しくは子器Ｃ１〜Ｃ３と副親機Ｂの間に通話路を形成する。すなわち、図２（ｂ）の一覧表に示すように、何れかの子器Ｃ１〜Ｃ３と親機Ａの間で通話する場合にはスイッチＳＷ２のみをオンして他のスイッチＳＷ１，ＳＷ３，ＳＷ４を全てオフにすればよい。あるいは何れかの子器Ｃ１〜Ｃ３と副親機Ｂの間で通話する場合にはスイッチＳＷ１，ＳＷ４をオンして他のスイッチＳＷ２，ＳＷ３をオフにし、さらに何れかの子器Ｃ１〜Ｃ３と通話端末の間で通話する場合にはスイッチＳＷ２のみをオンして他のスイッチＳＷ１，ＳＷ３，ＳＷ４を全てオフにすればよい。尚、通話路切替部として子器切替部１２と第１の２線−４線変換部１６をつなぐ通話信号経路に２つのスイッチを挿入し、当該２つのスイッチの接続点から分岐して子器切替部１２と信号線Ｌ２をつなぐ通話信号経路に１つのスイッチを挿入する構成としても構わないが、この場合には常に２つのスイッチをオンしなければ通話信号経路が形成できない。一方、図２（ａ）に示した本実施形態の通話路切替部１３では１つのスイッチＳＷ１，…のみをオンするだけで通話信号回路が可能な場合があり、上述の他の構成に比較してスイッチによる通話信号の劣化等が生じ難いという利点がある。
【００３０】
一方、通話信号経路切替部３２は、図３（ａ）に示すように通話手段たるマイクロホン１０及びスピーカ１１と子器接続手段たる子器切替部１２をつなぐ第１の通話信号経路と、図３（ｃ）に示すようにマイクロホン１０及びスピーカ１１と通話端末接続手段たる通話端末接続インタフェース部２１をつなぐ第２の通話信号経路と、図３（ｂ）に示すように子器切替部１２と通話端末接続インタフェース部２１をつなぐ第３の通話信号経路とを択一的に切り替えるものであって、図２（ｂ）に示した複数の通話形態のうちで副親機Ｂと子器Ｃ１〜Ｃ３との通話形態を除く他の全ての通話形態に応じて第１〜第３の通話信号経路の何れかを選択する。但し、第１〜第３の通話信号経路には何れも通話信号処理部３３が挿入される。
【００３１】
ところで、通話信号処理部３３における通話信号の動作特性、例えばアンプ３３ｅ〜３３ｈの利得や音声スイッチ３３ａの動作・不動作、あるいはエコーキャンセラ３３ｂ，３３ｃを構成する適応フィルタのパラメータ（例えば、タップ数など）及び動作・不動作については、上述の複数の通話形態毎に最適値が異なるのが一般的である。また、子器Ｃ１，…には壁面などの造営面に露出した状態で設置される露出設置型と、造営面に設けた埋込孔に少なくとも一部を埋め込む形で設置される埋込設置型とがあり、取付構造の違いによってマイクロホンの集音特性に周波数特性が存在するため、子器Ｃ１，…の種類に応じてアンプ３３ｅ〜３３ｈの利得を最適値に設定しないと子器Ｃ１，…の種類によって通話信号のレベルに差異が生じてしまうことがある。さらに、通話端末についても一般の電話機と従来技術で説明したワイヤレス通信装置とではアンプ３３ｅ〜３３ｈの利得やエコーキャンセラ３３ｂ，３３ｃの適応フィルタのパラメータなどの最適値が異なっている。
【００３２】
そこで本実施形態では、子器Ｃ１，…の種類（露出設置型と埋込設置型）並びに通話端末の種類を含めた全ての通話形態に対するエコーキャンセラ３３ｂ，３３ｃの適応フィルタのパラメータ及びアンプ３３ｅ〜３３ｈの利得の最適値、並びに音声スイッチ３３ａとエコーキャンセラ３３ｂ，３３ｃの動作・不動作のデータを、図４に示すようなデータテーブルＤＴの形式でＤＳＰ３０のデータ格納部３５に予め格納しておき、各通話形態での通話を開始する際にデータ格納部３５に格納されているデータテーブルＤＴを参照して通話信号処理部３３の動作特性、すなわち、エコーキャンセラ３３ｂ，３３ｃの適応フィルタのパラメータ及びアンプ３３ｅ〜３３ｈの利得の値、並びに音声スイッチ３３ａとエコーキャンセラ３３ｂ，３３ｃの動作・不動作を当該通話形態に最適な値及び状態に設定するようにしている。
【００３３】
ここで、データテーブルＤＴの内容について簡単に説明する。このデータテーブルＤＴでは、一つの行が上述の各通話形態に対応しており、各行に含まれる複数の列には通話形態毎に割り当てられた番号（以下、データ番号と呼ぶ）、通話形態の内容、第２のエコーキャンセラ３３ｃの動作特性（適応フィルタの複数のパラメータの最適値を組み合わせたパターン）、アンプ３３ｅ〜３３ｈの動作特性（アンプ３３ｅ〜３３ｈ毎の利得の最適値を組み合わせたパターン）、音声スイッチ３３ａの動作特性（動作・不動作（スルー））、第１のエコーキャンセラ３３ｂの動作特性（適応フィルタの複数のパラメータの最適値を組み合わせたパターン）が格納されている。例えば、データ番号１は埋込設置型の子器Ｃ１と親機Ａとの通話形態に対応するものであって、第２のエコーキャンセラ３３ｃの動作特性には「パターンａ」、アンプ３３ｅ〜３３ｈの動作特性には「パターンａ」、音声スイッチ３３ａの動作特性には「動作」、第１のエコーキャンセラ３３ｂの動作特性には「パターンａ」の各データが登録されている。あるいは、データ番号３は副親機Ｂと親機Ａとの通話形態に対応するものであって、第２のエコーキャンセラ３３ｃの動作特性には「スルー（不動作）」、アンプ３３ｅ〜３３ｈの動作特性には「パターンｃ」、音声スイッチ３３ａの動作特性には「動作」、第１のエコーキャンセラ３３ｂの動作特性には「パターンａ」の各データが登録されている。
【００３４】
ところで、本実施形態における副親機Ｂは、図５に示すように子器切替部１２や通話路切替部１３、通話信号経路切替部３２などを備えていない点、並びに通話端末を接続することができない点以外は親機Ａとほぼ共通の構成を有しているので、親機Ａと共通の構成要素には同一の符号を付して説明を省略する。
【００３５】
次に、図面を参照して本実施形態におけるインターホンシステムの動作を親機Ａの動作を中心に説明する。但し、副親機Ｂの各部については、親機Ａの各部と区別するために括弧付きの符号を付して説明する。
【００３６】
まず、子器Ｃ１と親機Ａとの間で通話する場合の動作について図６を参照して説明する。図６は子器Ｃ１、親機Ａ、副親機Ｂにおけるイベントの発生とそれに伴う処理の内容を示している。尚、子器Ｃ１の種類は埋込設置型とする。
【００３７】
子器Ｃ１で呼出釦が操作されると信号処理部７が制御信号送信部８を制御して呼出信号を親機Ａに送信させる。親機Ａでは制御信号受信部１４が子器Ｃ１から送信された呼出信号を受信し、制御部１５に対して子器Ｃ１から呼出があったことを示す情報（呼出情報）を出力する。制御部１５では呼出情報に基づいて子器Ｃ１からの呼出を検出するとともにメモリ（図示せず）に予め格納されている子器Ｃ１の種類に関する情報を取得して子器Ｃ１の種類、すなわち、露出設置型か埋込設置型を判別し、呼出情報と種類判別の結果に基づいて通話形態が埋込設置型の子器Ｃ１と親機Ａとの通話形態であると判断し、その情報（呼出情報及び通話形態情報）をＤＳＰ３０のＤＳＰ制御部３１に伝達し、さらに第１の制御信号送受信部１８から制御信号を送信して呼出情報を副親機Ｂに伝達する。また、制御部１５は表示部３６に対して呼出中であることを表示させるための呼出表示指令を与え、この呼出表示指令に応じて表示部３６により呼出中であることが表示される。ＤＳＰ制御部３１では、呼出情報を受け取ると呼出音を生成して第１のコーデック部２７のＤ／Ａコンバータ２７ｂに出力してスピーカ１１から呼出音を鳴らす。さらに呼出情報を受け取った副親機Ｂにおいても、制御部（１５）が呼出表示指令を与えて表示部（３６）により呼出中であることを表示させるとともに、ＤＳＰ（３０）のＤＳＰ制御部（３１）により呼出音を生成させてスピーカ（１１）から呼出音を鳴らす。
【００３８】
そして、呼出音を聞いた家人が親機Ａの通話釦を押操作し操作スイッチ（図示せず）がオンして操作信号が制御部１５に入力されると、親機Ａの制御部１５は子器切替部１２並びに通話路切替部１３を切替制御して子器Ｃ１との間に通話路を形成し、ＤＳＰ３０のＤＳＰ制御部３１に対して通話処理の開始を指示するコマンドを出力し、さらに表示部３６に対して通話表示指令を与えて表示部３６により通話中であることを表示させるとともに、当該コマンドを制御信号により第１の制御信号送受信部１８から副親機Ｂへも送信させる。このコマンドを受信した副親機Ｂでは、制御部（１５）が表示部（３６）に対して子器Ｃ１との間の通話路が使用中であることを示す使用中表示指令を与えて表示部（３６）により使用中であることが表示される。
【００３９】
一方、制御部１５から通話処理開始のコマンドを受け取ったＤＳＰ制御部３１では、子器Ｃ１と親機Ａとの通話形態に対応して通話信号経路切替部３２を第１の通話信号経路に切り替えるとともに、通話形態情報に基づいてデータ格納部３５のデータテーブルＤＴから埋込設置型の子器Ｃ１と親機Ａとの通話形態に対応したデータ番号１の各データを読み出し、音声スイッチ３３ａ、第１及び第２のエコーキャンセラ３３ｂ，３３ｃ並びにアンプ３３ｅ〜３３ｈの動作特性をデータ番号１の各データ、すなわち、第２のエコーキャンセラ３３ｃの動作特性には「パターンａ」、アンプ３３ｅ〜３３ｈの動作特性には「パターンａ」、音声スイッチ３３ａの動作特性には「動作」、第１のエコーキャンセラ３３ｂの動作特性には「パターンａ」をそれぞれ設定した後、音声スイッチ３３ａ、第１及び第２のエコーキャンセラ３３ｂ，３３ｃ並びにアンプ３３ｅ〜３３ｈを起動することによって通話信号処理部３３の通話信号処理が開始されて親機Ａと子器Ｃ１との間で通話が可能となる。但し、親機Ａと子器Ｃ１の通話中に副親機Ｂで通話釦が操作されても副親機Ｂの制御部（１５）では通話釦の操作信号を無効とする。
【００４０】
次に、子器Ｃ１と副親機Ｂとの間で通話する場合の動作について図７を参照して説明する。尚、図７も図６と同様に子器Ｃ１、親機Ａ、副親機Ｂにおけるイベントの発生とそれに伴う処理の内容を示している。
【００４１】
上述の手順で子器Ｃ１による呼出情報が制御信号により親機Ａから副親機Ｂに送信されると、副親機Ｂにおいては、その制御信号を受信した制御信号送受信部（１８）から制御部（１５）に呼出情報が送られ、制御部（１５）が呼出情報をＤＳＰ（３０）のＤＳＰ制御部（３１）に伝達するとともに、表示部（３６）に対して呼出中であることを表示させるための呼出表示指令を与え、この呼出表示指令に応じて表示部（３６）により呼出中であることが表示される。またＤＳＰ制御部（３１）では呼出情報を受け取ると呼出音を生成して第１のコーデック部（２７）のＤ／Ａコンバータ（２７ｂ）に出力してスピーカ（１１）から呼出音を鳴らす。
【００４２】
そして、呼出音を聞いた家人が副親機Ｂの通話釦を押操作し操作スイッチ（図示せず）がオンして操作信号が制御部（１５）に入力されると、制御部（１５）は親機Ａに対して通話の開始を要求する制御信号を制御信号送受信部（１８）から親機Ａへ送信させる。この通話開始要求の制御信号を受信した親機Ａでは、自己の通話釦が操作されていないという条件の元で子器Ｃ１との通話相手に副親機Ｂを選択し、制御部１５が子器切替部１２並びに通話路切替部１３を切替制御して子器Ｃ１と副親機Ｂの間に通話路を形成し、表示部３６に対して子器Ｃ１との間の通話路が使用中であることを示す使用中表示指令を与えて表示部３６により使用中であることを表示させるとともに、副親機Ｂに対して通話開始を許可する制御信号を第１の制御信号送受信部１８から送信させる。
【００４３】
一方、副親機Ｂにおいては、親機Ａから送信された制御信号を制御信号送受信部（１８）で受信し制御部（１５）に通話開始許可の情報が伝達されると、制御部（１５）がＤＳＰ（３０）のＤＳＰ制御部（３１）に対して通話処理の開始を指示するコマンドを出力し、さらに表示部（３６）に対して通話表示指令を与えて表示部（３６）により通話中であることを表示させる。また制御部（１５）から通話処理開始のコマンドを受け取ったＤＳＰ制御部（３１）がデータ格納部（３５）のデータテーブル（ＤＴ）から埋込設置型の子器Ｃ１と副親機Ｂとの通話形態に対応したデータ番号ｎの各データを読み出し、音声スイッチ（３３ａ）、第１及び第２のエコーキャンセラ（３３ｂ），（３３ｃ）並びにアンプ（３３ｅ）〜（３３ｈ）の動作特性をデータ番号ｎの各データをそれぞれ設定した後、音声スイッチ（３３ａ）、第１及び第２のエコーキャンセラ（３３ｂ），（３３ｃ）並びにアンプ（３３ｅ）〜（３３ｈ）を起動することによって通話信号処理部（３３）の通話信号処理が開始されて副親機Ｂと子器Ｃ１との間で通話が可能となる。
【００４４】
最後に、通話端末と子器Ｃ１との間で通話する場合の動作について図８を参照して説明する。尚、図８も図６及び図７と同様に子器Ｃ１、親機Ａ、通話端末におけるイベントの発生とそれに伴う処理の内容を示している。尚、通話端末は、親機Ａの第２の制御信号送受信部２２との間で信号線を通して制御信号を送受信する制御信号送受信部、マイクロホンやスピーカを含む通話回路、呼出に応答するための応答釦、表示デバイスを用いて各種の表示を行う表示部、全体の制御を行うＣＰＵなどを備えた従来周知の構成を有するものであり、詳細な構成についての図示並びに説明は省略する。
【００４５】
上述のように子器Ｃ１で呼出釦が操作されると、親機Ａの制御部１５が子器Ｃ１からの呼出を検出するとともに子器Ｃ１の種類を判別し、さらにその呼出情報を制御信号により第２の制御信号送受信部２２から通話端末に送信する。通信端末においては、その制御信号を受信した制御信号送受信部からＣＰＵに呼出情報が送られ、ＣＰＵが子器Ｃ１からの呼出を検出すると表示部に呼出中であることを表示させるとともに呼出音を生成して通話回路のスピーカから呼出音を鳴らす。
【００４６】
そして、呼出音を聞いた家人が通話端末の応答釦を押操作し、ＣＰＵが応答釦の操作を検出すると、ＣＰＵは親機Ａに対して通話の開始を知らせる制御信号を制御信号送受信部から親機Ａへ送信させるとともに通話回路を起動する。この通話開始報知の制御信号を受信した親機Ａでは、制御部１５が通話端末における応答釦の操作を検出して子器Ｃ１との通話相手に通話端末を選択し、子器切替部１２並びに通話路切替部１３を切替制御して子器Ｃ１との間に通話路を形成し、ＤＳＰ３０のＤＳＰ制御部３１に対して通話処理の開始を指示するコマンドを出力し、さらに表示部３６に対して通話表示指令を与えて表示部３６により通話中であることを表示させる。
【００４７】
さらに親機Ａにおいては、制御部１５から通話処理開始のコマンドを受け取ったＤＳＰ制御部３１が子器Ｃ１と通話端末との通話形態に対応して通話信号経路切替部３２を第３の通話信号経路に切り替えるとともに、通話形態情報に基づいてデータ格納部３５のデータテーブルＤＴから埋込設置型の子器Ｃ１と通話端末との通話形態に対応したデータ番号ｋの各データを読み出し、音声スイッチ３３ａ、第１及び第２のエコーキャンセラ３３ｂ，３３ｃ並びにアンプ３３ｅ〜３３ｈの動作特性をデータ番号１の各データをそれぞれ設定した後、音声スイッチ３３ａ、第１及び第２のエコーキャンセラ３３ｂ，３３ｃ並びにアンプ３３ｅ〜３３ｈを起動することによって通話信号処理部３３の通話信号処理が開始され、通話端末と子器Ｃ１との間で通話が可能となる。
【００４８】
上述のように本実施形態の親機Ａ又は副親機Ｂやインターホンシステムにおいては、通話信号経路切替部３２で第１〜第３の通話信号経路を択一的に切り替えることにより通話信号を処理する通話信号処理部３３を共用するとともに、通話信号経路切替部３２並びに通話信号処理部３３をソフトウェアによって動作する汎用の集積回路であるＤＳＰ３０で実現しているため、回路構成の複雑化や部品点数の増加、あるいは通話信号経路の切り替えに伴うノイズの混入などを防ぎつつ多種類の通話端末が接続可能となる。しかも、通話信号処理部３３を構成する音声スイッチ３３ａ、エコーキャンセラ３３ｂ，３３ｃ並びにアンプ３３ｅ〜３３ｈによる通話信号処理によって通話品質の向上が図れるとともに、これらの動作特性を択一的に切り替えられる通話信号経路に応じて変更し、個々の通話信号経路に最適な動作特性で動作させることにより通話品質がさらに向上できるという利点がある。また、アンプ３３ｅ〜３３ｈの利得が子器Ｃ１〜Ｃ３の種類（埋込設置型又は露出設置型）に適した値に設定されるため、子器Ｃ１〜Ｃ３からの受話信号がレベル調整手段たるＤＳＰ制御部３１によって適切なレベルに調整することができる。尚、本実施形態ではレベル調整手段をＤＳＰ３０で構成しているため、ハードウェアのみで構成する場合に比較してレベル調整手段の設計や仕様変更が容易に行えるという利点もある。
【００４９】
ところで、通話端末が従来技術で説明したようなワイヤレス通信装置である場合、ワイヤレス通信装置を構成するワイヤレス通信機には通常音声スイッチやエコーキャンセラが設けられているので、このような場合には親機Ａの通話信号処理部３３における音声スイッチ３３ａやエコーキャンセラ３３ｂ，３３ｃの動作を停止（スルー）させることで通話端末における音声スイッチ機能やエコーキャンセラ機能と重複して動作することをなくし、通話信号の劣化等による通話品質の低下が防止できる。
【図面の簡単な説明】
【００５０】
【図１】本実施形態のインターホン親機及びインターホン子器のブロック図である。
【図２】（ａ）は同上における子器切替部並びに通話路切替部の概略構成図、（ｂ）は子器切替部並びに通話路切替部の動作説明図である。
【図３】同上における通話信号経路切替部の動作説明図である。
【図４】同上におけるデータテーブルを示す図である。
【図５】同上におけるインターホン副親機のブロック図である。
【図６】同上においてインターホン子器とインターホン親機で通話する場合の動作説明図である。
【図７】同上においてインターホン子器とインターホン副親機で通話する場合の動作説明図である。
【図８】同上においてインターホン子器と通話端末で通話する場合の動作説明図である。
【図９】従来例のインターホン親機及びインターホン子器のブロック図である。
【符号の説明】
【００５１】
Ａ  インターホン親機
Ｂ  インターホン副親機
Ｃ１〜Ｃ３  インターホン子器
１０  マイクロホン
１１  スピーカ
１５  制御部
３０  ＤＳＰ
３１  ＤＳＰ制御部
３２  通話信号経路切替部
３３  通話信号処理部
【図１】
2005217543.tif 000003
【図２】
2005217543.tif 000004
【図３】
2005217543.tif 000005
【図４】
2005217543.tif 000006
【図５】
2005217543.tif 000007
【図６】
2005217543.tif 000008
【図７】
2005217543.tif 000009
【図８】
2005217543.tif 000010
【図９】
2005217543.tif 000011